(57)【要約】【課題】  足や手等の取付け対象部位に取付ける伸縮性バンドの接続機構として使用されているマジックテープは接続部が厚く長さ調節が難しく、ホックは接続作業が難しい事から、これらを解消するための伸縮性バンド接続機構を提供する。【解決手段】  接続対象となる一方の伸縮性バンド生地の端部付近に設けられ足や手等の取付け対象部位の形状に近似した形状に撓む可撓性素材よりなるこはぜと、接続対象となる一方の生地の端部付近から長さ調節可能となるように、前記こはぜを脱着可能に取付ける複数の取付け部が、こはぜを収納する袋状となったものよりなる伸縮性バンド接続機構。【選択図】図１
2005323996.tif 000002
【特許請求の範囲】
【請求項１】
接続対象となる一方の生地の端部付近に設けられ足や手等の取付け対象部位の形状に近似した形状に撓む可撓性素材よりなるこはぜと、接続対象となるもう一方の生地の端部付近から長さ調節可能となるように前記こはぜを脱着可能に取付ける複数の取付け部よりなる接続機構。
【請求項２】
取付け部がこはぜを収納する袋状となったものであることを特徴とする請求項１記載の接続機構。
【請求項３】
こはぜを有する生地に一端辺で接続され可撓性素材よりなるこはぜを先端に有する複数の補助接続片を有するものであることを特徴とする請求項１又は２記載の接続機構。
【請求項４】
足や手等の取付け対象部位の形状に近似した形状に撓む可撓性素材よりなりこはぜに似た形状の爪状の補助片を、こはぜより先の生地の端部付近に設けることを特徴とする請求項１、２又は３記載の接続機構
【請求項５】
接続対象となる一方の生地の端部付近に接続後の接続部を被う生地を設けることを特徴とする請求項１、２、３又は４記載の接続機構。
【発明の詳細な説明】
【技術分野】
【０００１】本発明は、足や手等に使用する伸縮性バンドの接続機構を厚さが薄くて長さ調節や接続作業の簡単なものとするため、接続機構に伸縮性バンド取付け対象部位の形状に近似した形状に撓む可撓性素材よりなるこはぜを使用したものである。
【背景技術】
【０００２】従来、足や手等に使用する伸縮バンド接続機構としてはマジックテープやホックなどがあり、こはぜは足袋や地下足袋や手甲やきゃはんに使用されているが、伸縮性バンド接続機構に伸縮性バンド取付け対象部位の形状に近似した形状に撓む可撓性素材よりなるこはぜを使用したものはなかった。【０００３】
【特許文献１】実用新案公開  平６−２６５０１
【０００４】
【特許文献２】特許公開  ２００１−３２１２０７
【発明の開示】
【発明が解決しようとする課題】
【０００５】足や手等に使用する伸縮バンドの接続機構としてマジックテープは接続個所が厚くなり接続強度を確保する広さの接続面積が必要で長さの調節が難しく、ホックは接続金具が小さく接続作業が難いなどの問題点があった。
こはぜとかけ糸の組み合わせは、接続面積が小さくて長さ調節と接続作業が簡単なもので、これまで足袋、地下足袋、手甲など比較的厚く寸法に少し余裕を持たせた布地の接続に、硬い材質で作られたこはぜが横並びに五個から十個使用されていた。この場合、接続時にこはぜを引っ張ってかけ糸に差しこみ留めると接続後にこはぜが引っ張られることは少なく、また、こはぜの数が多いこともあり接続後に引っ張られることがあっても、この力は各こはぜに分散し、個々のこはぜを皮膚側に押し付け締め付ける力としての引っ張る力は弱くなっていた。
また、この引っ張ることでこはぜを皮膚側に押し付け締め付ける力が発生しても、比較的厚い布地で保護された皮膚はあまり痛くはならなかった。
この硬い材質のこはぜ一個をそのまま伸縮性のある薄い布地の肌着など、特に手足首などの半径の小さい円に沿って変形し密着しない場所に使用すると、伸縮性バンドの締め付ける力がこはぜの両端を通してこはぜ中央付近にかかり、直に薄い布地を通しこはぜを皮膚側に押し付け締め付ける力となり皮膚が痛くなり、こはぜの跡が赤く皮膚に残った。
また、皮膚と床面等の堅い物との間に硬いこはぜがあると、比較的厚い生地があっても変形しないこはぜが皮膚に食い込み痛くなり、こはぜの跡が赤く皮膚に残った。
こはぜを脱着可能に取付けるかけ糸の作成において、足袋のこはぜ接続の場合、こはぜとかけ糸は足の踵付近で横に並んで取付けられ、かけ糸一本をこはぜの間隔を取って縫って留めていけば対応する全てのこはぜを接続できるが、バンドをこはぜで接続する場合、取付けるこはぜの数は少ないが、長さ調節のため取付けるかけ糸はバンドに対して縦に取付ける必要があり、縦に取付けるかけ糸の一本一本を、間隔を置いてバンドに縫い付ける方法では手間がかかっていた。
本発明は、これらの課題を解消するためになされたものである。
【課題を解決するための手段】
【０００６】足や手等に使用する伸縮バンドの接続機構として、伸縮バンド取付け対象部位の形状に近似した形状に撓む可撓性素材より作成したこはぜを使用するもので、これを接続対象となる一方の生地の端部付近に設ける。
接続対象となるもう一方の生地の端部付近付近から長さ調節可能となるように、前記こはぜを脱着可能に収納し取付ける複数の取付け部よりなり、取付け部がこはぜを収納する袋状となったものである。
以上を特徴とする伸縮バンド接続機構である。
【発明の効果】
【０００７】  こはぜを足や手等の接続対象部位の形状に近似した形状に撓む可撓性素材で作成する構造によって、伸縮バンド接続後のこはぜが肌の曲線に沿って曲がり密着し、薄い布地の肌着など、特に手足首などの半径の小さい円に沿って使用しても、伸縮性バンドの締め付ける力がこはぜ全体に分散することで、こはぜを皮膚側に押し付け締め付ける力も分散し、薄い布地を通しこはぜが皮膚を押すことで痛くなることが起こり難くなる効果が得られる。
また、皮膚と床面等の堅い物との間に、前記こはぜがあっても、変形するため、こはぜが皮膚に食い込み痛くなることが起こり難くなる効果が得られる。
次に、かけ糸と同じ機能のこはぜを収納する袋状のものを作成し、これを縦に縫い付ける構造においては、縦に取付けるかけ糸の一本一本を、間隔を置いてバンドに縫い付ける方法に比較し手間がかからない効果が得られる。
こはぜを有する生地に一端辺で接続され可撓性素材よりなるこはぜを先端に有する複数の補助接続片を有する構造によって、こはぜ側でも長さ調節できる効果が得られる。こはぜを収納する袋状のもの端部付近に沿って長方形の生地を縫い付けた構造によって、接続後の接続部を保護する効果が得られる。
こはぜに似た形状の爪状の補助片をこはぜより先に取付けた構造によって、接続部を固定する効果が得られる。
【発明を実施するための最良の形態】
【０００８】以下、本発明の第一実施の形態について図１から図５を用いて説明する。
図１は、本発明の斜視図、図２はこはぜ取付け部付近を切り取った図、図３はこはぜを収納する袋状のもの付近を切り取り、縫い目に沿ってはがした図、図４は接続後の接続部付近を切り取り、縫い目に沿ってはがした図、図５は接続後の接続部付近を切り取った図である。
こはぜ（１）は、足や手等の接続対象部位の形状に近似した形状に撓む可撓性素材で作成し、この場合はポリエチレンテレフタレート（ＰＥＴ）樹脂の薄板、例えばペットボトルの側面で作成したもので、図２に示すように爪状の差し込み部（２）と左右に突出した形状の取り付け部（３）から構成されているもので、接続対象となる一方の伸縮バンド（４）の端部付近の内側に縫い付ける（５）構造である。
こはぜを脱着可能に取付ける取付け部として、図１、図３に示すように、こはぜを収納する袋状のもの（６）は、こはぜを差し込む袋部差し込み口（７）が等間隔で複数並行に設けられているもので、生地で作成し接続対象となるもう一方の伸縮バンドの端部付近に縫い付ける構造である。
使い方として、伸縮性バンドを取付けようとする足や手等の大きさに合わせてこはぜを収納する袋部差し込み口を選択することで適切な長さとし、袋部差し込み口にこはぜをしっかり差しこむことで接続する。
本発明は以上の構成よりなっている。【０００９】以下、本発明の第二実施の形態について図６から図７を用いて説明する。
本発明においては、図６に示すように一方の生地の端部付近に設けるこはぜの構造が、こはぜを有する生地に一端辺で接続され可撓性素材よりなるこはぜを先端に有する伸縮性バンドから枝のように複数の補助接続片（８）を有するもので、これら補助接続片を倒して伸縮バンドに重ねた時、各補助接続片に取付けたこはぜが重ならないよう伸縮バンドに取付ける補助接続片の取付け間隔を取った構造となっている。
使い方として、図７に示すように足や手等の伸縮性バンドを取付けようとする部位に適した長さに合わせ不要な補助接続片を切り口（９）で切り取ることでこはぜ側での長さ調節を行う。【００１０】以下、本発明の第三実施の形態について図８を用いて説明する。
本発明においては、図８のこはぜを収納する袋状のもの付近を切り取り、縫い目に沿ってはがした図に示すように一方の伸縮バンドの端部付近に設けるこはぜを収納する袋状のものの材質が、横筋にグラスファイバー（１０）の入ったＰ．Ｖ．Ｃ．コートのシート（１１）、例えば服の寸法取りに使用する帯び状のグラスメジャーを切って横に用いたものなどを使用する構造となっている。
この構造により、こはぜが引っ張られこはぜを収納する袋部差し込み口が変形しこはぜが外れ易くなるのを横筋に入ったグラスファイバーが防止し、引っ張りに強い袋部差し込み口となる。【００１１】以下、本発明の第四実施の形態について図９から図１０を用いて説明する。
本発明においては図９に示すように一方の伸縮バンドの端部付近に設けるこはぜを収納する袋状のもの付近に沿って長方形の生地（１２）を縫い付けた構造となっている。
使い方として伸縮バンド接続機構の接続部が他の物と接触することで接続後の接続部が外れる恐れがある場所の使用では、図１０に示すように端部付近に沿って縫い付けた長方形の生地をバンド接続後、接続部（１３）に巻き付けカバー（１４）とすることで接続後の接続部を保護し、また、接続後にはみ出している伸縮バンドを固定する。【００１２】以下、本発明の第五実施の形態について図１１から図１３を用いて説明する。
本発明においては図１１に示すように一方の伸縮バンドの端部付近に設けるこはぜより先の構造が接続対象部の形状に近似した形状に撓む可撓性素材でこはぜに似た形状の爪状の補助片（１５）を爪状の差し込み部を先に向けて伸縮バンドの外側に取付けた構造となっている。
使い方として伸縮バンド接続機構の接続部が他の物と接触することで接続後の接続部が外れる恐れがある場所の使用では、接続部を追加して固定する必要があり、この場合、図１２の接続後の接続部付近を切り取り縫い目に沿ってはがした図及び図１３の接続後の接続部付近を切り取った図で示すようにこはぜを収納している袋部差し込み口、より先の、袋部差し込み口に爪状の補助片を差し込む事で接続部を固定する。【００１３】以下、本発明の第六実施の形態について図１４から図１６を用いて説明する。
本発明においては図１４に示すように一方の伸縮バンドの端部付近に設けるこはぜ取付け部の構造が、こはぜとして使用できる材質のＶ字型の薄板（１６）の片側をこはぜに加工し、もう片方を伸縮バンドに縫い付けたもので、こはぜに加工した側は伸縮バンドに縫い付ける側よりバンドの幅に収める分狭くなり、Ｖ字型部も袋部差し込み口に接続時には折り重なる構造となっている。
この構造により、図１５の接続後の接続部付近を切り取り縫い目に沿ってはがした図及び図１６の接続後の接続部付近を切り取った図で示すように一方の伸縮バンドの端部付近に設けるこはぜ取付け部の厚さを伸縮バンドがなくなった分だけ薄くし、接続部を簡単な構造とすることができる。【００１４】以下、本発明の第七実施の形態について図１７を用いて説明する。
本発明においては図１７に示すように伸縮バンド接続部がポリエチレンテレフタレート（ＰＥＴ）樹脂の薄板製の透明なこはぜ（１７）例えば、透明なペットボトルの側面製こはぜとし、透明で柔軟なプラスチックバンド（１８）例えば、透明な軟質塩化ビニールシートのバンドに、透明なてぐす（１９）を使用して透明なこはぜを縫いつけ、こはぜを収納する袋状のものを透明で柔軟なプラスチックシート例えば、透明な軟質塩化ビニールシートで作成し、透明なてぐすで透明で柔軟なプラスチックバンドに縫い付けた構造となっている。
この構造より伸縮バンド接続部全体を透明な材質のものとすることができる。
【図面の簡単な説明】
【００１５】
【図１】本発明の第一実施の形態、接続前の斜視図。
【図２】本発明の第一実施の形態、こはぜ取付け部付近を切り取った拡大図。
【図３】本発明の第一実施の形態、袋状のもの付近を縫い目に沿ってはがした拡大図。
【図４】本発明の第一実施の形態、接続後の接続部付近を縫い目に沿ってはがした拡大図。
【図５】本発明の第一実施の形態、接続後の接続部付近の拡大図。
【図６】本発明の第二実施の形態、接続前の斜視図。
【図７】本発明の第二実施の形態、不要な補助接続片を切り取った接続前の斜視図。
【図８】本発明の第三実施の形態、袋状のもの付近を縫い目に沿ってはがした拡大図。
【図９】本発明の第四実施の形態、接続前の斜視図。
【図１０】本発明の第四実施の形態、接続後の接続部に生地を巻き付けカバーとした接続部付近の拡大図。
【図１１】本発明の第五実施の形態、接続前の斜視図。
【図１２】本発明の第五実施の形態、接続部を固定したバンドの接続部付近を、縫い目に沿ってはがした拡大図。
【図１３】本発明の第五実施の形態、接続部を固定したバンドの接続付近の拡大図。
【図１４】本発明の第六実施の形態、接続前の斜視図。
【図１５】本発明の第六実施の形態、接続部付近を、縫い目に沿ってはがした拡大図。
【図１６】本発明の第六実施の形態、接続後の接続部付近の拡大図。
【図１７】本発明の第七実施の形態、接続前の斜視図。
【符号の説明】
【００１６】１  こはぜ
２  差し込み部
３  取り付け部
４  伸縮バンド
５  縫い目
６  こはぜを収納する袋状のもの
７  袋部差し込み口
８  補助接続片
９  切り口
１０  グラスファイバー
１１  Ｐ．Ｖ．Ｃ．コートのシート
１２  長方形の生地
１３  こはぜ接続部
１４  生地を巻き付けたカバー
１５  爪状の補助片
１６  Ｖ字型の薄板
１７  透明なこはぜ
１８  透明なプラスチックバンド
１９  てぐす
【図１】
2005323996.tif 000003
【図２】
2005323996.tif 000004
【図３】
2005323996.tif 000005
【図４】
2005323996.tif 000006
【図５】
2005323996.tif 000007
【図６】
2005323996.tif 000008
【図７】
2005323996.tif 000009
【図８】
2005323996.tif 000010
【図９】
2005323996.tif 000011
【図１０】
2005323996.tif 000012
【図１１】
2005323996.tif 000013
【図１２】
2005323996.tif 000014
【図１３】
2005323996.tif 000015
【図１４】
2005323996.tif 000016
【図１５】
2005323996.tif 000017
【図１６】
2005323996.tif 000018
【図１７】
2005323996.tif 000019